(57)【要約】      （修正有）【課題】壁に設置された旧受信機を新受信機へ交換する際に、旧受信機の取り付け部材を活用し、設置後の美観を損ねずに、新受信機の設置を容易に行うことができるリニューアルプレートを提供する。【解決手段】中央を大きく開口させたプレート１１に化粧枠、取付穴を設け、プレート表面に取付金具１２を取り付けたリニューアルプレート１を使用する。そして旧受信機の取り付け部材から旧受信機を取り外してリニューアルプレートを設置し、リニューアルプレートを介して新受信機を設置する。【選択図】図６
2019192179.tif 000002
【特許請求の範囲】
【請求項１】
周辺に化粧枠を有し、内側に開口を有するプレートと、
プレートを座板に取り付けるために、プレートの上部と下部とに設けられた取付穴と、
プレートの前面側の上部に設けられた、新受信機取付用の取付金具と、
を備えたことを特徴とするリニューアルプレート。
【請求項２】
周辺に化粧フランジを有し、内側に開口を有するボックスプレートと、
ボックスプレートを埋込ボックスに取り付けるために、ボックスプレートの底板の上部と下部とに設けられた取付穴と、
ボックスプレートの底板の前面側の上部に設けられた、新受信機取付用の取付金具と、
を備えたことを特徴とするリニューアルプレート。
【発明の詳細な説明】
【技術分野】
【０００１】
本発明は、古くなった火災受信機を交換して設置する際に、壁面等に取り付けて使用する部材に関するものである。
【背景技術】
【０００２】
製造年数が古く、補修用部品の保有期限が過ぎた受信機は、新受信機への交換対象となる。既設の旧受信機を新受信機に交換する際には、旧受信機とその取り付け部材を廃棄し、改めてアンカーボルトや専用の埋込ボックスを設け、新受信機を設置することになる。しかし、壁に対しての工事が必要になるため、新受信機への交換は容易ではない。
【先行技術文献】
【特許文献】
【０００３】
【特許文献１】特許第２０１６−１１０５２１号公報
【発明の概要】
【発明が解決しようとする課題】
【０００４】
特許文献１には、旧受信機が設置されていた既設の埋込ボックスを利用して新受信機を取り付ける機器設置構造が記載されている。この設置構造は、埋め込みボックスに取り付ける井桁状のアダプタと、新受信機に取り付けてからアダプタと接続させる化粧枠パネルからなり、既設の埋込ボックスを廃棄せずに新受信機へ交換する。
【０００５】
しかし、特許文献１の設置構造では、位置決めのためのネジの取り付けを含めると、ネジの取り付けの回数が多い。ネジの取り付け回数は、アダプタの取り付けに４箇所で６回、化粧枠パネルと受信機の接続で４回、受信機とアダプタの接続で４回の計１２箇所において１４回必要となり、作業に時間がかかる。また、特許文献１の設置構造は既設受信機が埋込型であることが前提となっており、埋込ボックスを用いない露出型の受信機を交換する際には利用できない。さらに、特許文献１の設置構造の化粧枠パネルの前面部分は、単に旧受信機よりも小さい新受信機とのサイズの違いを埋めているにすぎない。そのため、化粧パネルの取り付け位置にずれが発生すると、小さいずれであっても旧受信機の取付跡が目立ってしまう。また、旧受信機の取付後に塗装が行われている場合は取り外しの際に旧受信機の周りに剥離跡が残る。それゆえ、新受信機を取り付けた後の化粧枠パネルと壁の境界部分において、美観を保つことが必ずしも容易ではない。
【０００６】
そこで本発明は、プレートに化粧枠、取付穴を設け、中央を大きく開口させ、プレート表面に取付金具を設けることで、旧受信機の取り付け部材を活用でき、新受信機の設置が容易で、美観を損ねないリニューアルプレートを提供することを課題とするものである。
【課題を解決するための手段】
【０００７】
本発明は、上記の課題を解決するためのものであり、以下の構成を有する。
【０００８】
（１）本発明は、周辺に化粧枠を有し、内側に開口を有するプレートと、プレートを座板に取り付けるために、プレートの上部と下部とに設けられた取付穴と、プレートの前面側の上部に設けられた、新受信機取付用の取付金具と、を備えたことを特徴とするリニューアルプレートである。
【０００９】
（２）また、本発明は、周辺に化粧フランジを有し、内側に開口を有するボックスプレートと、ボックスプレートを埋込ボックスに取り付けるために、ボックスプレートの底板の上部と下部とに設けられた取付穴と、ボックスプレートの底板の前面側の上部に設けられた、新受信機取付用の取付金具と、を備えたことを特徴とするリニューアルプレートである。
【発明の効果】
【００１０】
本発明によれば、旧受信機の設置場所へ新受信機を新たに設置するための上記のリニューアルプレートにより、旧受信機を設置していた際の既設の座板や埋込ボックス等の取り付け部材をそのまま活用でき、一般タイプの新受信機を設置でき、新受信機にケーブルを引き込み易く、取付金具によって新受信機の設置が容易に可能で旧受信機の取付跡の露出を防いで美観を保つことができる。
【図面の簡単な説明】
【００１１】
【図１】本願の実施例１において壁７１から露出型の旧受信機を取り外した状態を示す図である。
【図２】本願の実施例１のリニューアルプレート１を構成するプレート１１を前面斜め方向から見た斜投影図である。
【図３】本願の実施例１のリニューアルプレート１を構成するプレート１１を後面斜め方向から見た斜投影図である。
【図４】本願の実施例１の座板４１の取付部４１１とリニューアルプレート１の引掛金具１１６の切断部端面図である。
【図５】本願の実施例１のプレート１１を座板４１に取り付ける様子を示した斜投影図である。
【図６】本願の実施例１の、壁７１に設置したプレート１１に取付金具１２を取り付ける様子を示す斜投影図である。
【図７】本願の実施例１のリニューアルプレート１に新受信機６を取り付ける様子を示す斜投影図である。
【図８】本願の実施例１のリニューアルプレート１による新受信機６の取り付けが完了した状態を示す斜投影図である。
【図９】本願の実施例２において埋込ボックス４２から旧受信機５２を取り外す様子を示した斜投影図である。
【図１０】本願の実施例２において壁７２から旧受信機５２を取り外した状態を示す斜投影図である。
【図１１】本願の実施例２において新受信機６の取り付けに関わる構成部品を示す斜投影図である。
【図１２】本願の実施例２のリニューアルプレート２による新受信機６の取り付けが完了した状態を示す斜投影図である。
【図１３】本願の実施例２の変形例であるリニューアルプレート３に新受信機６を取り付ける様子を示した斜投影図である。
【図１４】本願の実施例２の変形例のリニューアルプレート３による新受信機６の取り付けが完了した状態を示す斜投影図である。
【発明を実施するための形態】
【００１２】
本出願では、リニューアルプレート等の取付時の位置関係として上下左右と前後等を示す。
【実施例１】
【００１３】
実施例１では、露出型の旧受信機を新受信機に交換するためのリニューアルプレート１について説明する。図１は、実施例１において壁７１から露出型の旧受信機（図示せず）を取り外した状態を示す図である。図１には、座板４１、座板４１に設けられた取付部４１１と雌ネジ４１２、壁７１、旧受信機の旧取付面７１１、及び壁面開口７１２が示されている。図１のように、露出型の旧受信機を取り外した状態では、座板４１が露出する。座板４１は旧受信機を壁７１に固定するために使用されていたもので、中央が大きく開口した金属製の枠であり、上部には取付部４１１、四隅には雌ネジ４１２が設けられている。座板４１は、ネジ等により耐荷重性の十分な壁７１に固定されている。座板４１の上部の取付部４１１は、旧受信機が設置されていた際に旧受信機の重量を支えていたものである。取付部４１１は横に長く、断面がＺ字状のＺ型金具であり、上部が壁から離れている。また、雌ネジ４１２は、取付部４１１の上端の左右と座板４１の下端の左右に設けられており、旧受信機を固定する際に使用されていたものである。壁７１の座板４１に囲まれた部分には、壁面開口７１２が設けられている。旧受信機と接続していた複数の外線ケーブル（図示せず）は、壁面開口７１２を通して壁内から引き出される。図１には、旧受信機が取り付けられていた壁７１の部分である旧取付面７１１が座板４１の周囲に破線で示されている。破線は境目を表し、破線の内側が旧取付面７１１である。
【００１４】
旧取付面７１１は、壁７１における旧受信機に覆われていた部分であり、汚れや日焼け等により変色した周囲の露出していた壁７１の部分とは色が異なる。また、旧受信機の設置後に壁７１を塗装していた場合は、旧取付面７１１とその周囲で塗装状態が異なる上、旧受信機取り外しの際に境界部分の塗装が剥離したり傷がついたりしていることが多い。そのため、従来の新受信機の周囲には、色の異なる部分等が生じて美観が悪い。また、座板４１を廃棄して新受信機６を設置する場合、取り外した座板４１や付随する部材の廃棄コストがかかってしまう。実施例１のリニューアルプレート１は、この座板４１を再利用し、壁面開口７１２や外線ケーブルもそのまま利用して、手間を抑えて美観に配慮した新受信機６の設置を実現する。
【００１５】
図２は、実施例１のリニューアルプレート１を構成するプレート１１を前面斜め方向から見た斜投影図である。図２には、プレート１１に設けられた化粧枠１１１、開口１１２、取付穴１１３、当板１１７、上方に位置する雌ネジ１１８、下方に位置する雌ネジ１１９が示されている。プレート１１は、旧受信機よりも上下左右にそれぞれ１ｃｍ大きく形成され、中央部分には大きな開口１１２が設けられている。開口１１２は、プレート１１の上下方向、左右方向の幅に対し、ともに２／３以上の幅を有する。化粧枠１１１はプレート１１の周辺部分であり、プレート１１表面の外周部分とプレート１１の側面からなる。化粧枠１１１に該当する部分は、プレート１１表面においては、取付穴１１３等の構成よりも周辺に位置する部分である。また、プレート１１側面においては、化粧枠１１１は外周面である上面、下面、右側面、左側面である。化粧枠１１１は、新受信機取り付け後に露出するため、表面に美観が配慮された塗装等が施されている。取付穴１１３は上下に計４箇所あり、図１に示した座板４１の雌ネジ４１２の位置と一致している。当板１１７はプレート１１に溶接された板であり、開口１１２の上端の左右側に計２箇所設けられて凸部を形成している。雌ネジ１１８は当板１１７の上方に計２箇所設けられ、雌ネジ１１９はプレート１１の下方の左右２箇所に設けられている。
【００１６】
図３は、実施例１のリニューアルプレート１を構成するプレート１１を後面斜め方向から見た斜投影図である。図３には、プレート１１の化粧枠１１１、開口１１２、突出金具１１５、引掛金具１１６が示されている。化粧枠１１１の側面部分は、プレート１１の前面から後方へ突出して枠状に形成されている。プレート１１の後面の、開口１１２に近い部分には、上部と下部において左右の計四箇所に、コの字型の突出金具１１５が溶接されている。後面において、化粧枠１１１の上面部分のすぐ下には、上面に沿って引掛金具１１６が設けられている。引掛金具１１６は横に長いＺ型金具であり、一つの長板部がプレート１１の前面の裏側に溶接されている。
【００１７】
図４は、実施例１の座板４１における取付部４１１と、リニューアルプレート１の引掛金具１１６の切断部端面図である。なお、図４では、図の左側が室内側である前方、図の右側が後方となる。図４（ａ）は図１のＡ−Ａ線切断部端面図であり、壁７１に取り付けられた座板４１におけるＺ型の取付部４１１の断面を示している。取付部４１１は、横長の板を縦方向に曲げ、他の位置で逆方向に曲げた、３つの長板を接続した形状である。座板４１は枠状に一体的に形成され、取付部４１１等の横方向の部分は曲折し易いように薄く形成されている。取付部４１１は、長板４１１ａが壁７１に固定され、固定された長板４１１ａの上端から前方に向かって長板４１１ｂが立設し、壁７１と平行な長板４１１ｃの下端と接続している。図４（ｂ）は図３のＢ−Ｂ線切断部端面図であり、プレート１１の化粧枠１１１上面の下方に設けられたＺ型の引掛金具１１６の断面を示している。引掛金具１１６も、横長の板を縦方向に曲げ、他の位置で逆方向に曲げた形状をしている。引掛金具１１６は、長板１１６ａがプレート１１前面の裏側に溶接され、溶接された長板１１６ａの下端から後方に向かって、プレート１１前面に対して垂直に長板１１６ｂが立設し、プレート１１前面と平行な長板１１６ｃの下端と接続している。
プレート１１を座板４１に取り付けた際には、引掛金具１１６の水平な長板１１６ｂが取付部４１１の長板４１１ｃの上端に支持されてプレート１１の重量を支える。また、取付部４１１の長板４１１ｃと引掛金具１１６の長板１１６ｃとがストッパーとなりプレート１１の脱落を防ぐ。
【００１８】
次に、旧受信機を取り外した壁７１に、実施例１のリニューアルプレート１を使用して新受信機６を設置する手順を図５，６，７を用いて示す。
新受信機６の設置は、まずプレート１１を座板４１に取り付け、次にプレート１１に取付金具１２を取り付ける。そして新受信機６を取付金具１２に掛け、新受信機６をプレート１１にネジ止めし、最後に新受信機６内部に引き込んだ外線ケーブルの接続等を行う。
【００１９】
図５は、実施例１のプレート１１を座板４１に取り付ける様子を示した斜投影図である。図５には、プレート１１の開口１１２、取付穴１１３及び突出金具１１５、座板４１の取付部４１１及び雌ネジ４１２が示され、旧取付面７１１が示されている。
プレート１１を座板４１に取り付けるには、まず図５のようにプレート１１の裏面と座板４１を合わせ、外線ケーブルを開口１１２に通す。次にプレート１１裏面の引掛金具１１６（図３）を座板４１の取付部４１１に掛ける。そしてプレート１１の位置を左右に調整しながら、取付穴１１３の位置を座板４１の四隅の雌ネジ４１２に合わせ、後述の取付ネジ１１４によりネジ止めする。取付穴１１３は取付ネジ１１４の径よりもやや大きく開けられており、雌ネジ４１２の位置が多少ずれていても取り付けることができる。プレート１１の下部に設けた取付穴１１３は縦の長孔状であり、縦方向のずれに対する許容度が大きい。
【００２０】
プレート１１を座板４１へ取り付ける際に、突出金具１１５は座板４１に当接し、取付ネジ１１４の過剰なねじ込みによるプレート１１の撓みを防止する。プレート１１は旧受信機よりも上下左右にそれぞれ１ｃｍ大きい。そのため、旧取付面７１１よりも上下左右にそれぞれ１ｃｍ大きくなり、美観の悪い旧取付面７１１との境目を覆い隠すことができる。さらに、プレート１１が旧取付面７１１を覆う幅に余裕があるため、旧受信機の取り外しの際に、旧取付面７１１の外側に壁７１の塗装の剥離等が生じたとしても覆い隠すことができる。またプレート１１の取り付けの際に、Ｚ型の引掛金具１１６と取付部４１１が噛み合うことにより、プレート１１の重量を支えることができる。そのため、取り付け時に作業者がプレート１１を支持する必要がなく、取付穴１１３と雌ネジ４１２の位置等を合わせる作業や、ネジ止めをする作業がしやすい。
【００２１】
プレート１１の設置の次に、取付金具１２を取り付ける。図６は、実施例１の、壁７１に設置したプレート１１の前面側に取付金具１２を取り付ける様子を示す斜投影図である。図６には、リニューアルプレート１、プレート１１、取付ネジ１１４、突出金具１１５、当板１１７、雌ネジ１１８、雌ネジ１１９、取付金具１２、取付穴１２１、雌ネジ１２２、座板４１、壁７１が示されている。取付金具１２は、新受信機６の取付用である。プレート１１は、上下合わせて四箇所の取付穴１１３（図５）において取付ネジ１１４を雌ネジ４１２（図５）にネジ止めして、座板４１に固定されている。取付ネジ１１４によるネジ止めの際には、プレート１１の裏面に溶接された突出金具１１５により、プレート１１の前面が撓むことなく固定される。取付金具１２は、新受信機６の重量を支えて取り付けるためのＺ型で横に長い金具であり、下部の左右端の近傍には取付穴１２１が、上部の左右には雌ネジ１２２が設けられている。
【００２２】
取付金具１２を設置するには、当板１１７の上端に取付金具１２の下端をあてがい、プレート１１の雌ネジ１１８と取付金具１２の取付穴１２１の位置を合わせ、ネジ止めする。このとき当板１１７による凸部があることで取付金具１２の上下位置が位置決めされるとともに、ネジ止めの作業中に取付金具１２が脱落しにくい。また、当板１１７は、ネジとともに取付金具１２を介して新受信機６の加重を受ける。リニューアルプレート１はプレート１１と取付金具１２により構成され、取付金具１２を取り付けることで、リニューアルプレート１の壁７１への設置が完了する。なお、プレート１１の下部と取付金具１２の上方には新受信機６を固定するための雌ネジ１１９及び雌ネジ１２２が設けられている。
【００２３】
取付金具１２の次に、新受信機６を取り付ける。図７は、実施例１のリニューアルプレート１に新受信機６を取り付ける様子を示す斜投影図である。図７にはリニューアルプレート１、プレート１１、化粧枠１１１、開口１１２、取付ネジ１１４、雌ネジ１１９、取付金具１２、雌ネジ１２２、新受信機６が示されている。図７では、プレート１１に取付金具１２が設置されたリニューアルプレート１が、壁７１に設置されている。リニューアルプレート１の開口１１２の周りには取付ネジ１１４や取付金具１２等の取付部品が設けられているが、プレート１１外周面と、外周面と接するプレート１１表面の縁近傍には取付部品が無く、取り付け後の美観に配慮された化粧枠１１１になっている。
【００２４】
壁７１に設置されたリニューアルプレート１への新受信機６の取り付けは、まず開口１１２を通した外線ケーブルを、新受信機６の後面の開口部分に引き入れる。このとき、新受信機６の後面の開口が図１に示した壁面開口７１２の位置と離れていても、開口１１２が十分大きくプレート１１に４ｃｍの厚さがあるため、新受信機６の後面で壁面開口７１２から新受信機６の後面の開口まで外線ケーブルを這わせることができる。新受信機６の後面の上方には、リニューアルプレート１の引掛金具１１６と同様のＺ型の引掛金具（図示せず）が設けてある。この引掛金具を取付金具１２に掛け、新受信機６の扉を開けて内部四隅の取付穴（図示せず）と、取付金具１２の雌ねじ１２２、プレート１１の下方の雌ねじ１１９を合わせてネジ止めする。ネジ止めの際には取付金具により新受信機６の重量が支えられるので、作業者は新受信機６を支持する必要がなく、取付作業がしやすい。新受信機６の固定が終了した後、新受信機６筐体内で外線ケーブルを接続する。
【００２５】
図８は、実施例１のリニューアルプレート１による新受信機６の取り付けが完了した状態を示す斜投影図である。図８にはリニューアルプレート１、化粧枠１１１、新受信機６、壁７１が示されており、リニューアルプレート１は壁７１と新受信機６に挟まれ、化粧枠１１１の部分だけが露出している。実施例１では新受信機６の外周の大きさは旧受信機と同じであるため、化粧枠１１１が上下左右にそれぞれ１ｃｍずつ新受信機６の周囲に突出する。旧取付面７１１は、図８のように化粧枠１１１に覆われ、また旧取付面７１１の周りの壁７１の傷や塗装の剥離があっても覆うことができる。こうして、旧受信機の痕跡はすべて覆われ、新受信機６は取り付け位置で美観を損なうことなく設置される。
なお、実施例１では新受信機６の取付面の外形サイズは旧受信機と同じであるが、新受信機の取付面の外形サイズが旧受信機よりも小さくても、新受信機の外側に出る化粧枠の部分が１ｃｍよりも広くなるものの、美観を損なうことがない。
【００２６】
実施例１における火災受信機のリニューアル方法は、壁７１に取り付けられた旧受信機を取り外し、旧受信機より取付面の外形サイズが大きいリニューアルプレート１を壁７１に取り付け、リニューアルプレート１に新受信機６を設置するものである。以上のように、実施例１のリニューアルプレート１によって、旧受信機の設置に使用されていた既設の座板４１をそのまま利用して新受信機６の設置が可能である。その際にプレート１１の取付面の外形サイズが旧取付面７１１よりも１ｃｍ大きいため、壁７１の旧取付面７１１やその周囲の傷及び塗装の剥離等が露出せず美観を保つことができる。また、新受信機６のケーブル引き入れ口の位置は必ずしも旧受信機の位置と同じではないが、プレート１１に奥行きがあり開口１１２が大きいため、外線ケーブルをプレート１１の開口１１２から新受信機６に引き入れることができる。また取付金具１２により、新受信機６の設置の際にネジ位置の位置決めが容易になり、加えてネジ止めの際に新受信機６を作業者が支持する必要がないため作業しやすい。同様に、Ｚ型の引掛金具１１６により、プレート１１設置の際のネジ止めの作業も容易である。そして、突出金具１１５が座板４１に当接することにより、プレート１１設置の際にプレート１１の撓みを防止できる。
【実施例２】
【００２７】
実施例２では、埋込型の旧受信機５を新受信機６に交換するためのリニューアルプレート２について説明する。図９は、実施例２において埋込ボックス４２から旧受信機５を取り外す様子を示した斜投影図である。図９には埋込ボックス４２と、埋込ボックス４２の底板４２１、スタッド４２２、支持金具４２３、ボックス開口４２４、そして埋込型の旧受信機５と旧受信機５のフランジ部分５１が示されている。なお、旧受信機５は説明の簡便化のため、筐体部分のみを示している。
【００２８】
埋込型の旧受信機５は、壁７２（図１０）内に埋め込まれた埋込ボックス４２に固定することで壁７２から大きく突出することなく設置される。埋込ボックス４２は旧受信機５を壁７２に設置するために使用されるもので、前面が大きく開口した筐体である。埋込ボックス４２の上部と下部には計四箇所にスタッド４２２が、また下端の左右には支持金具４２３が設けられている。埋込ボックス４２は、壁７２内にある建物の構造体等に固定されている。埋込ボックス４２において、壁７２の面と平行な底板４２１には、溶接により固定されたスタッド４２２が設けられている。スタッド４２２は旧受信機５を固定する雄ネジであり、底板４２１の四隅に設けられ、底板４２１の面と垂直に突出する。埋込ボックス４２の下部の左右に設けられた支持金具４２３は、埋込ボックス４２に固定された部材であり、支持金具４２３の水平部分に旧受信機５の筐体下部が乗り、旧受信機５の重量を支える。ボックス開口４２４は、壁内から外線ケーブルを引き出すために埋込ボックス４２に開けられた開口である。旧受信機５を取り外した図９の状態では、ボックス開口４２４から複数の外線ケーブル（図示せず）が延びている。旧受信機５は埋込ボックス４２の前面の開口に嵌め込まれ、埋込ボックス４２の周囲は旧受信機５の周囲に突出するフランジ部分５１により完全に覆われる。
【００２９】
新受信機を設置する際には、埋込ボックス４２を壁内から取り出し、新たな埋込ボックスにあわせて壁を加工しなおし、新たな埋込ボックスを設置・固定する工事が必要となる。また、取り出した埋込ボックス４２や付随する建築部材の廃棄コストも生じる。実施例２のリニューアルプレート２は、この埋込ボックスを再利用し、工事や、工事の際に生じる建築部材等の廃棄コストを抑えた新受信機の設置を実現する。
【００３０】
図１０は、実施例２において壁７２から旧受信機５を取り外した状態を示す斜投影図である。図１０には埋込ボックス４２と、埋込ボックス４２のスタッド４２２、支持金具４２３、および壁７２、旧取付面７２１が示されている。図１０のように、埋込型の旧受信機５を取り外した状態では、埋込ボックス４２が露出する。実施例２ではこの埋込ボックス４２を再利用して新受信機６を設置する。埋込ボックス４２における、内部空間、支持金具４２３、スタッド４２２、図９のボックス開口４２４に加え、ボックス開口４２４から内部空間に引き出された外線ケーブルが再利用される。新受信機６の設置の際は、壁の工事等はせずに埋込ボックス４２にリニューアルプレート２を取り付ける。
【００３１】
図１０には、旧受信機５が取り付けられていた壁７２の部分である旧取付面７２１が破線で示されている。破線は境目を表し、破線の内側が旧取付面７２１である。旧受信機５は埋込型であるため、前方の周囲にフランジ部分５１を有している。旧取付面７２１は、長期間にわたりフランジ部分５１に覆われているため、周囲の露出した部分とは汚れや染み、日焼け具合などにより色が異なる。また、旧受信機５の設置後に壁７２を塗装した場合は旧取付面７２１と周囲で塗装状態が異なる上、旧受信機５取り外しの際に境界部分の塗装に剥離等が生じる。新受信機６を取り付けた後に、旧取付面や周囲の傷が露出していると美観が悪いが、実施例２のリニューアルプレート２も美観が悪い壁７２の部分を覆うため美観を保つことができる。
【００３２】
図１１は、実施例２において新受信機６の取り付けに関わる構成部品を示す斜投影図である。図１１にはリニューアルプレート２、ボックスプレート２１、ボックスプレート２１の化粧フランジ２１１、開口２１２、取付穴２１３、当板２１７、底板２１８、周辺板２１９が示されている。また、図１１には、ボックスプレート２１に取り付けられた状態の取付金具１２、取付金具１２の雌ネジ１２２と取付ネジ１２３が示されている。さらに、埋込ボックス４２、底板４２１、スタッド４２２、支持金具４２３、ボックス開口４２４、及び、扉を開けた状態の新受信機６と、新受信機６の取付穴６２が示されている。
【００３３】
リニューアルプレート２は、ボックスプレート２１と取付金具１２で構成される。取付金具１２は、新受信機６の取付用である。図１１では、ボックスプレート２１に取付金具１２が取付ネジ１２３によって取り付けられたリニューアルプレート２が示されている。ボックスプレート２１は化粧フランジ２１１、周辺板２１９、底板２１８からなり、底板２１８と周辺板２１９により凹部を形成する。化粧フランジ２１１は、図１０に示した旧取付面７２１を覆う枠状のパネルであり、旧受信機５のフランジ部分５１の周囲よりも上下左右にそれぞれ１ｃｍ大きく形成されている。したがって、旧取付面７２１よりも上下左右にそれぞれ１ｃｍ大きい。また、化粧フランジ２１１は新受信機６取り付け後に外面に露出する部分であるため、表面に美観が配慮された塗装等が施されている。化粧フランジ２１１の中央の開口部分には壁内部へ向かって４枚の周辺板２１９が立設している。底板２１８は４枚の周辺板２１９に囲まれ、底板２１８の中央には大きく開口した開口２１２があり、埋込ボックス４２にボックスプレート２１を取り付けるための取付穴２１３が設けられている。開口２１２は、ボックスプレート２１の上下方向、左右方向の幅に対し、ともに２／３以上の幅を有する。取付穴２１３は上下に計４箇所あり、埋込ボックス４２のスタッド４２２の位置と一致している。なお、図１１において、上方の取付穴２１３は化粧フランジ２１１の陰になり、隠れている。当板２１７はボックスプレート２１の底板２１８に溶接された板状の部品であり、開口２１２の上端の左右側に計２箇所設けられて凸部を形成している。取付金具１２は、新受信機６の重量を支えて取り付けるためのＺ型で横に長い金具である。取付金具１２は、実施例１において図６に示したものと共通である。
【００３４】
図１１ではリニューアルプレート２を示すためにボックスプレート２１に取付金具１２が先に取り付けられているが、新受信機６の設置の際は先にボックスプレート２１を埋込ボックス４２に設置してから取付金具１２を取り付けてもよい。以下は新受信機６の設置の手順であるが、取付金具１２を付ける前にボックスプレート２１を先に設置する手順での作業手順を示す。
【００３５】
埋込ボックス４２への新受信機６の設置の際には、まずボックスプレート２１を埋込ボックス４２に取り付ける。そしてボックスプレート２１に取付金具１２を取り付け、新受信機６を取付金具１２に引っ掛け、新受信機６をネジにより固定する。
ボックスプレート２１を埋込ボックス４２に取り付ける際には、ボックス開口４２４から伸びる外線ケーブルをボックスプレート２１の開口２１２から引き出し、ボックスプレート２１の下部の周辺板２１９を支持金具４２３に乗せる。そして、四箇所のスタッド４２２と取付穴２１３の位置を合わせて、化粧フランジ２１１の裏面が壁７２に当接するまでボックスプレート２１を押し込み、取付穴２１３から突出したスタッド４２２を座金付きナット等（図示せず）で固定する。実施例１と同様に、取付穴２１３はやや大きめに作られており、スタッド４２２の位置がずれていても固定可能である。
【００３６】
ボックスプレート２１への取付金具１２の取り付けは、取付金具１２の下端を当板２１７の上端に当て、取付穴１２１（図６）において取付ネジ１２３によりネジ止めして、取付金具１２とボックスプレート２１の底板２１８とを固定する。次に、外線ケーブルを新受信機６の後面から新受信機６の内部へ引き込み、新受信機６の後面上部の引掛金具（図示せず）を取付金具１２に掛ける。そして、新受信機６の取付穴６２を、底板２１８下方の雌ネジ（図示せず）及び取付金具１２の雌ネジ１２２の位置とあわせ、ネジ止めして新受信機６を固定する。ネジ止めの際には取付金具１２により新受信機６の重量が支えられるので、作業者は新受信機６を支持する必要がなく、取付作業がしやすい。その後、外線ケーブルを新受信機６内で接続し新受信機６の扉を閉める。
【００３７】
図１２は、実施例２のリニューアルプレート２による新受信機６の取り付けが完了した状態を示す斜投影図である。図１２にはリニューアルプレート２、ボックスプレート２１、化粧フランジ２１１、底板２１８、周辺板２１９、埋込ボックス４２、そして新受信機６が示されている。
【００３８】
新受信機６の取り付けが完了した状態では、図１２のように埋込ボックス４２内の空間にリニューアルプレート２を介して新受信機６が固定され、新受信機６の前面は化粧フランジ２１１の前面と揃い、ボックスプレート２１の内側に収まる。そして図１０の旧取付面７２１は化粧フランジ２１１によって完全に覆われる。このとき、旧取付面７２１周辺の傷や塗装の剥離も覆うことができる。また、ボックスプレート２１の底板２１８が新受信機６よりも縦に長くなっていることで、上部と下部の周辺板２１９と、新受信機６の間に隙間ができ、この隙間によって、新受信機６を斜めにして取り付けや取り外しを容易に行うことができる。新受信機６は埋込型でない一般型の受信機であり、周囲にフランジ部分５１（図９）のようなフランジを有さない実施例１の露出型と共通のものである。リニューアルプレート２の周辺板２１９や底板２１８は、新受信機６を取り付けた後に部分的に露出するが、露出部は化粧フランジ２１１の露出部と同様に美観が配慮された塗装等が施されている。
【００３９】
実施例２における火災受信機のリニューアル方法は、まず壁７２に埋め込まれた埋込ボックス４２に取り付けられた旧受信機５を取り外す。そして旧受信機より外形サイズが大きい化粧フランジ２１１が周囲に設けられたリニューアルプレート２を、埋込ボックス４２に嵌め込み、最後にリニューアルプレート２の凹部に新受信機６を設置して完了するものである。以上のように実施例２のリニューアルプレート２によって、旧受信機５の設置に使用されていた既設の埋込ボックス４２を工事不要にそのまま利用して、埋込型でない一般型の新受信機６の設置が可能である。またその際に、ボックスプレート２１の化粧フランジ２１１の外形サイズが旧取付面７２１よりも１ｃｍ大きいため、壁７２の旧取付面７２１やその周囲の傷及び塗装の剥離等が露出せず、美観を保つことができる。ボックスプレート２１の開口２１２は大きいため、ケーブル接続位置の異なる新受信機６であっても、外線ケーブルを容易に新受信機６の後面に設けられた外線ケーブル引き込み用の開口位置まで這わせることができ、問題なく設置できる。そしてボックスプレートの底板に設置した取付金具１２により、作業者はネジ止めの際に新受信機６を支持する必要がないため作業しやすい。
【００４０】
＜変形例＞
図１３は、実施例２の変形例であるリニューアルプレート３に新受信機６を取り付ける様子を示した斜投影図である。図１３にはリニューアルプレート３、そしてリニューアルプレート３の化粧フランジ３１１、開口３１２、底板３１４、周辺板３１５、支持板３１６、さらに埋込ボックス４３と埋込ボックス４３のスタッド４３１、そして新受信機６が示されている。壁は記載していない。
【００４１】
埋込ボックス４３の内側は新受信機６と略同サイズであり、リニューアルプレート３を使用して新受信機６を設置する。この場合も実施例２と同様、旧受信機の設置に使用される埋込ボックス４３を再利用し、リニューアルプレート３を取り付けて新受信機６を設置する。図１３では埋込ボックス４３にリニューアルプレート３が既に取り付けられている状態である。
【００４２】
リニューアルプレート３は実施例２のボックスプレート２１と同様に、化粧フランジ３１１、底板３１４、周辺板３１５からなり、底板３１４と周辺板３１５により凹部を形成する。化粧フランジ３１１は、旧受信機が取付られていた壁を覆う枠状のパネルであり、旧受信機の取付面よりも上下左右にそれぞれ１ｃｍ大きく成型されている。また、化粧フランジ３１１は、新受信機６取り付け後に外面に露出する部分であるため、表面に美観が配慮された塗装等が施されている。化粧フランジ３１１の中央の開口部分には壁内へ向かって４枚の周辺板３１５が立設している。底板３１４は４枚の周辺板３１５に囲まれ、底板３１４の中央には大きく開口した開口３１２があり、リニューアルプレート３を埋込ボックス４３に取り付けるための取付穴が設けられている。図１３では、スタッド４３１が底板３１４の取付穴を貫通して前方へ突出している。そして下部の周辺板３１５には、左右に支持板３１６が設けられ、新受信機６の嵌め込みの際に重量を支え、また下部の周辺板３１５の歪みや損傷を防ぐ。
【００４３】
埋込ボックス４３への新受信機６の設置の際には、まずリニューアルプレート３を埋込ボックス４３に取り付ける。そして新受信機６をリニューアルプレート３にはめ込み、新受信機６をナット等により固定する。
埋込ボックス４３にリニューアルプレート３を取り付ける際には、実施例２のような取付ネジではなく、埋込ボックス４３のスタッド４３１を使用する。またスタッド４３１は、新受信機６の固定にも使用する。リニューアルプレート３への新受信機６の取り付けは、まず外線ケーブルを新受信機６内の後面から中へ引き込み、新受信機６をリニューアルプレート３の支持板３１６の上に乗せ、周辺板３１５の内部に押し込む。支持板３１６の上面は周辺板３１５の上面よりやや高くなっているため、新受信機６の下面との接触面積が小さく、少ない摩擦で新受信機を押し込むことができる。そして新受信機６の扉を開け、新受信機６の内部に突出した４箇所のスタッド４３１に座金付きナット等でネジ止めをし、固定する。リニューアルプレート３は新受信機６と埋込ボックス４３の間に挟まれてスタッド４３１により固定される。そして外線ケーブルを新受信機６内部で接続し、新受信機６の扉を閉める。
【００４４】
図１４は、実施例２の変形例のリニューアルプレート３による新受信機６の取り付けが完了した状態を示す斜投影図である。図１４には、リニューアルプレート３、そしてリニューアルプレート３の化粧フランジ３１１、埋込ボックス４３、新受信機６が示されている。壁は記載していない。新受信機６の取り付けが完了した状態では、図１４のように埋込ボックス４３内の空間にリニューアルプレート３を介して新受信機６が固定され、新受信機６の前面は化粧フランジ３１１の前面と揃い、リニューアルプレート３の内側に収まる。そして旧取付面は化粧フランジ３１１によって全て覆われる。このとき、旧取付面周辺の傷や塗装の剥離も覆うことができる。そして、新受信機６は埋込型でない一般型の受信機であり、実施例１、２と共通のものである。
【００４５】
以上のように実施例２の変形例であるリニューアルプレート３によって、旧受信機の設置に使用されていた既設の埋込ボックス４３を工事不要にそのまま利用して、埋込型でない一般型の新受信機６の設置が可能である。またその際に、リニューアルプレート３の化粧フランジ３１１の外形サイズが旧取付面よりも１ｃｍ大きいため、壁の旧取付面やその周囲の傷や塗装の剥離等が露出せず、美観を保つことができる。リニューアルプレート３の開口３１２が大きいため、ケーブル接続位置の異なる新受信機６であっても、外線ケーブルを容易に新受信機６後面に設けられた外線ケーブル引き込み用の開口位置まで這わせることができ、問題なく設置できる。
【００４６】
なお、実施例１，２や変形例を含め、リニューアルプレートの外形サイズは旧取付面の外形サイズより大きければよいが、大きすぎると他の装置等と干渉したり美観を損ねたりする虞がある。そのため、リニューアルプレートの外形サイズは、旧取付面の外形サイズより０．５〜２．０ｃｍ大きいことが好ましい。また、当板１１７，２１７等を用いずに取付金具１２をプレート１１、底板２１８等に溶接等によって取り付けて使用してもよい。実施例１，２では、リニューアルプレートの開口は、リニューアルプレートの上下方向、左右方向の幅に対し、ともに２／３以上の幅を有するようにしているが、新受信機を取り付けられることが前提である。既設の旧受信機と新たに設ける新受信機の幅の差が大きい場合には、リニューアルプレートの開口は、新受信機における上下方向、左右方向の幅の２／３以上の幅を有することが望ましい。実施例２では、周辺板２１９や底板２１８の一部は新受信機６の上下の凹部で露出するため、美観が配慮された塗装等が施されているが、代わりに新受信機６の上下の隙間を埋める箱状の化粧部材を嵌め込んでもよい。
【符号の説明】
【００４７】
１  リニューアルプレート、１１  プレート、１１１  化粧枠、１１２  開口、１１３  取付穴、１１４  取付ネジ、１１５  突出金具、１１６  引掛金具、１１６ａ  長板、１１６ｂ  長板、１１６ｃ  長板、１１７  当板、１１８  雌ネジ、１１９  雌ネジ、１２  取付金具、１２１  取付穴、１２２  雌ネジ、１２３  取付ネジ、２  リニューアルプレート、２１  ボックスプレート、２１１  化粧フランジ、２１２  開口、２１３  取付穴、２１７  当板、２１８  底板、２１９  周辺板、３  リニューアルプレート、３１１  化粧フランジ、３１２  開口、３１４  底板、３１５  周辺板、３１６  支持板、４１  座板、４１１  取付部、４１１ａ  長板、４１１ｂ  長板、４１１ｃ  長板、４１２  雌ネジ、４２  埋込ボックス、４２１  底板、４２２  スタッド、４２３  支持金具、４２４  ボックス開口、４３  埋込ボックス、４３１  スタッド、５  旧受信機、５１  フランジ部分、６  新受信機、６２  取付穴、７１  壁、７１１  旧取付面、７１２  壁面開口、７２  壁、７２１  旧取付面
【図１】
2019192179.tif 000003
【図２】
2019192179.tif 000004
【図３】
2019192179.tif 000005
【図４】
2019192179.tif 000006
【図５】
2019192179.tif 000007
【図６】
2019192179.tif 000008
【図７】
2019192179.tif 000009
【図８】
2019192179.tif 000010
【図９】
2019192179.tif 000011
【図１０】
2019192179.tif 000012
【図１１】
2019192179.tif 000013
【図１２】
2019192179.tif 000014
【図１３】
2019192179.tif 000015
【図１４】
2019192179.tif 000016